(57)【特許請求の範囲】
【請求項１】
上枠部と下枠部とを有する枠体と、前記枠体に建て込まれる障子と、を有し、
前記上枠部と前記障子の上端部とのうちのいずれか一方が他方にのみ込まれた状態で前記障子が建て込まれる建具であって、
前記上枠部は、垂設されて前記障子の前記上端部と対向する垂壁部を有し、
前記上枠部または前記障子の前記上端部は、前記垂壁部と前記上端部との相対位置により、前記一方が前記他方にのみ込まれているのみ込み量を示すのみ込み量表示部を備えていることを特徴とする建具。
【請求項２】
請求項１に記載の建具であって、
前記上枠部または前記障子の前記上端部に備えられた前記のみ込み量表示部は、前記障子が前記枠体に建て込まれたときの、前記のみ込み量表示部が備えられていない前記上枠部または前記障子の前記上端部に対する位置により、前記のみ込み量を示すことを特徴とする建具。
【請求項３】
請求項２に記載の建具であって、
前記のみ込み量表示部は、前記のみ込み量が適切であるときに、前記のみ込み量表示部が備えられていない前記上枠部または前記障子の前記上端部に隠れることを特徴とする建具。
【請求項４】
請求項１乃至請求項３のいずれかに記載の建具であって、
前記のみ込み量表示部は、前記上枠部または前記障子の前記上端部に、周囲と材質が異なる部位として設けられていることを特徴とする建具。
【請求項５】
請求項１乃至請求項３のいずれかに記載の建具であって、
前記のみ込み量表示部は、前記上枠部または前記障子の前記上端部に、周囲と色が異なる部位として設けられていることを特徴とする建具。
【請求項６】
請求項１乃至請求項５のいずれかに記載の建具であって、
前記障子は、４本の框材が矩形状に接合された框を有しており、
前記のみ込み量表示部は、前記４本の框材のうち上側に配置された上框に設けられていることを特徴とする建具。
【請求項７】
請求項１乃至請求項５のいずれかに記載の建具であって、
前記障子は、４本の框材が框組みされた框を有しており、
前記のみ込み量表示部は、前記４本の框材のうち縦框に設けられていることを特徴とする建具。
【請求項８】
請求項１乃至請求項５のいずれかに記載の建具であって、
前記障子は、前記枠体に沿ってスライド可能な引戸であり、
前記のみ込み量表示部は、前記引戸がスライドする際に前記枠体と摺動する摺動部材に設けられていることを特徴とする建具。
【発明の詳細な説明】
【技術分野】
【０００１】
本発明は、枠体に建て込まれる障子を有する建具に関する。
【背景技術】
【０００２】
従来、枠体に建て込まれる障子を有する建具としては、例えば、竪框と横框とのコーナーに、高低調整をするコーナー継手を備えた障子を有する建具が知られている（例えば、特許文献１参照）。この建具のコーナー継手には、左右の竪框に、高低調整するための調整固定金具が備えられており、調整固体金具には正面に露出する数字目盛が設けられ、数字を見ながら左右の高低調整が行われる。
【先行技術文献】
【特許文献】
【０００３】
【特許文献１】実開昭５０−６２３３０号公報
【発明の概要】
【発明が解決しようとする課題】
【０００４】
上記のような建具の高低調整は、障子の左右の高さが水平になるように調整するのみならず、例えば、障子が枠体から容易に外れないように、障子の上部に設けられた溝部に上枠に設けられたレールが十分にのみ込まれる高さに障子を位置調整する場合もある。しかしながら、障子の溝部にのみ込まれているレールは、溝部内に位置して外部から見えないため、充分なのみ込み量が確保されているか否かを確認することができないという課題がある。
【０００５】
本発明は、かかる課題に鑑みてなされたものであり、その目的とするところは、枠体と障子との適正なのみ込み量を確保して容易に枠体に建て込むことが可能な建具を提供することにある。
【課題を解決するための手段】
【０００６】
かかる目的を達成するために本発明の建具は、上枠部と下枠部とを有する枠体と、前記枠体に建て込まれる障子と、を有し、前記上枠部と前記障子の上端部とのうちのいずれか一方が他方にのみ込まれた状態で前記障子が建て込まれる建具であって、前記上枠部は、垂設されて前記障子の前記上端部と対向する垂壁部を有し、前記上枠部または前記障子の前記上端部は、前記垂壁部と前記上端部との相対位置により、前記一方が前記他方にのみ込まれているのみ込み量を示すのみ込み量表示部を備えていることを特徴とする建具である。
【０００７】
このような建具によれば、一方が他方にのみ込まれているのみ込み量を示すのみ込み量表示部を上枠部または障子の上端部が備えているので、障子を枠体に建て込まれた状態であっても、一方が他方にのみ込まれているのみ込み量を確認することが可能である。このため、枠体に対する適切な位置に障子を建て込むことが可能である。すなわち、枠体と障子との適正なのみ込み量を確保して容易に枠体に障子を建て込むことが可能な建具を提供することが可能である。
【０００８】
かかる建具であって、前記上枠部または前記障子の前記上端部に備えられた前記のみ込み量表示部は、前記障子が前記枠体に建て込まれたときの、前記のみ込み量表示部が備えられていない前記上枠部または前記障子の前記上端部に対する位置により、前記のみ込み量を示すことが望ましい。
このような建具によれば、上枠部または障子の上端部に備えられたのみ込み量表示部と、のみ込み量表示部が備えられていない上枠部または障子の上端部とにより、枠体に対する障子の位置を容易に確認することが可能である。
【０００９】
かかる建具であって、前記のみ込み量表示部は、前記のみ込み量が適切であるときに、前記のみ込み量表示部が備えられていない前記上枠部または前記障子の前記上端部に隠れることが望ましい。
このような建具によれば、障子が枠体に対して適切な位置に建て込まれている場合には、のみ込み量表示部が、のみ込み量表示部が備えられていない上枠部または障子の上端部に隠されて、のみ込み量表示部は視認できなくなるので、枠体に対して障子の適切な位置に建て込まれているか否かを容易に判断することが可能である。
【００１０】
かかる建具であって、前記のみ込み量表示部は、前記上枠部または前記障子の前記上端部に、周囲と材質が異なる部位として設けられていることが望ましい。
このような建具によれば、上枠部または障子の上端部に、周囲と材質が異なる部位を設けるだけで容易にのみ込み量表示部を設けることが可能である。
【００１１】
かかる建具であって、前記のみ込み量表示部は、前記上枠部または前記障子の前記上端部に、周囲と色が異なる部位として設けられていることとしてもよい。
このような建具によれば、上枠部または障子の上端部に、周囲との色が異なる部位を設けるだけで容易にのみ込み量表示部を設けることが可能である。
【００１２】
かかる建具であって、前記障子は、４本の框材が矩形状に接合された框を有しており、  前記のみ込み量表示部は、４本の框材のうち上側に配置された上框に設けられていることが望ましい。
このような建具によれば、のみ込み量表示部が設けられている位置は上框なので、のみ込み量表示部を容易に上枠部と対向させることが可能である。
【００１３】
かかる建具であって、前記障子は、４本の框材が框組みされた框を有しており、前記のみ込み量表示部は、４本の框材のうち縦框に設けられていることとしてもよい。
このような建具によれば、障子の左右の端部側にのみ込み量表示部を設けることが可能である。
【００１４】
かかる建具であって、前記障子は、前記枠体に沿ってスライド可能な引戸であり、前記のみ込み量表示部は、前記引戸がスライドする際に前記枠体と摺動する摺動部材に設けられていることとしてもよい。
【００１５】
このような建具によれば、のみ込み量表示部が摺動部材に設けられているので、のみ込み量表示部として別個の部材を設ける必要はない。このため、部材の数及び取り付け工数等を少なく抑えることが可能である。
【発明の効果】
【００１６】
本発明によれば、枠体と障子との適正なのみ込み量を確保して容易に枠体に建て込むことが可能な建具を提供することが可能である。
【図面の簡単な説明】
【００１７】
【図１】本実施形態に係る建具の縦断面図である。
【図２】障子の上端部を示す斜視図である。
【図３】障子ののみ込み量が適正でない状態を示す縦断面図である。
【図４】摺動部材に設けられたのみ込み量表示部を示す斜視図である。
【図５】シール部材に設けられたのみ込み量表示部を示す斜視図である。
【図６】上レールが障子の上端部にのみ込まれている例を示す縦断面図である。
【図７】ＦＩＸ窓用の建具を示す縦断面図である。
【発明を実施するための形態】
【００１８】
以下、本発明の一実施形態に係る建具について図面を参照して説明する。
本実施形態では、図１に示すように、建具として、例えば、既存の建具の室内側に設けられ既存の建具とともに二重窓構造を構成する建具１を例に挙げて説明する。
【００１９】
以下の説明においては、建物等に取り付けられた建具１を室内側から見たときに、上下となる方向を上下方向、左右となる方向を左右方向、室内外方向である奥行き方向を見込み方向として示す。また、建具１の各部位であっても、また、建具１を構成する各部材については単体の状態であっても、建具１が取り付けられた状態で上下方向、左右方向、見込み方向となる方向にて方向を特定して説明する。
【００２０】
本実施形態の建具１は、図１に示すように、既存の建具（不図示）が取り付けられている躯体２に固定される枠体３と、枠体３に建て込まれて左右方向にスライド自在な引戸をなす２枚の障子４と、を有している。
【００２１】
枠体３は、下枠部としての下枠３１、上枠部としての上枠３２及び左右の縦枠(不図示)が、互いに隣り合う端部同士を互いに突き合わせて接合されて矩形状をなしている。矩形状をなす枠体３は、内周側から外周側に向かうビスにより躯体２に固定されている。
【００２２】
下枠３１には、左右方向に沿い見込み方向に間隔を隔てて、障子４を支持する２本の下レール３１ａが上方に突出させて設けられている。また、室内側の下レール３１ａの更に室内側に見込み方向に間隔を隔てて、上方に向かって下レール３１ａとほぼ同じ高さまで突出する下壁部３１ｂが設けられている。
【００２３】
上枠３２には、下枠３１の２本の下レール３１ａ及び下壁部３１ｂと、上下方向においてそれぞれ対向する位置に、障子４を案内する２本の上レール３２ａ及び下方に垂設された垂壁部３２ｂが設けられている。垂壁部３２ｂは、上レール３２ａの下端とほぼ同じ位置まで突出されている。
【００２４】
各障子４は、矩形状の複層ガラス４１と、複層ガラス４１の外周部に設けられる框４２とを有している。本実施形態においては、上レール３２ａが障子４の上端部４ａにのみ込まれているので、上枠部と障子の上端部とのうちのいずれか一方は、上枠３２に相当し、他方は障子４の上端部４ａに相当する。
【００２５】
框４２は、複層ガラス４１の上下に位置する上框４３、下框４４と左右に位置する縦框４５（図３）とを有し、各々内部にアルミニウム製の補強材４３ａ、４４ａが長手方向に沿って全長に渡って設けられている。尚、縦框４５の内部に設けられている補強部材は図示していない。
【００２６】
上框４３は左右の縦框４５の上端部４５ｃ間に配置され、下框４４は左右の縦框４５の下端部間に配置されて、縦框４５側から上框４３及び下框４４側に進入するビスにより上框４３及び下框４４の補強材４３ａ、４４ａと縦框４５とが摺動部材４５ｄを介して螺着されて矩形状に接合されている。
【００２７】
障子４の上端部４ａに位置する上框４３は、框４２の外周側となる部位に上方に向かって開放され上枠３２の上レール３２ａがのみ込まれる上溝部４３ｂを有しており、補強材４３ａは、上溝部４３ｂの内面にほぼ沿うように設けられている。すなわち、補強材４３ａも上溝部４３ｂと同様に上方に向かって開放されている。上溝部４３ｂの上縁部には、挿入される上レール３２ａとの間をシールし軟質の合成樹脂でなるシール部材４６が設けられている。上框４３における、框４２の内周側には、複層ガラス４１の上端部を保持する上保持部材４７が嵌合される上嵌合部４３ｃが設けられている。
【００２８】
下框４４は、框４２の外周側となる部位に下方に向かって開放され下枠３１の下レール３１ａが挿入される下溝部４４ｂを有しており、補強材４４ａは、下溝部４４ｂの内面にほぼ沿うように設けられている。すなわち、補強材４４ａも下溝部４４ｂと同様に下方に向かって開放されている。下溝部４４ｂの下縁部には、挿入される下レール３１ａとの間をシールし軟質の合成樹脂でなるシール部材４６が設けられている。下框４４における、框４２の内周側には、複層ガラス４１の下端部を保持する下保持部材４８が嵌合される下嵌合部４４ｃが設けられている。
【００２９】
下框４４の下溝部４４ｂ内には、障子４を下レール３１ａ上に支持して走行可能な戸車４９が設けられている。この戸車４９は、下枠３１に固定されたケース(不図示)に対するローラー４９ａの上下方向の位置を調整することにより障子４の上下方向の位置を調整可能な調整機構（不図示）を備えている。
【００３０】
左右の縦框４５は、框４２の外周側となる部位に上下方向に貫通する中空部（不図示）を有しており、中空部内には、略全長にわたって補強材が設けられている。各縦框４５における、框４２の内周側には、複層ガラス４１の端部を保持する縦保持部４５ａが設けられている。また、左右の縦框４５のうち戸先側に位置する縦框４５には、見込み方向において中空部内に窪み障子４を操作するための操作部４５ｂが設けられている。
【００３１】
また、各縦框４５の小口には、小口を塞ぐとともに障子４が左右方向にスライドする際に、縦框４５の上端部４５ｃにのみ込まれる上レール３２ａ及び縦框４５の下端に挿入される下レール３１ａとそれぞれ摺動する合成樹脂製の摺動部材４５ｄが嵌合されている。障子４の上端部である縦框４５の上端部４５ｃには、図２に示すように、室内に臨む面に縦框４５と色が相違するのみ込み量表示部としてのラベル５が貼り付けられている。
【００３２】
ラベル５は、障子４が下レール３１ａに支持された状態で、上レール３２ａが上框４３の上溝部４３ｂに、予め設定された量だけのみ込まれているときに、ラベル５の下端５ａが上枠３２の垂壁部３２ｂの下端３２ｃより高い位置に位置して、ラベル５が垂壁部３２ｂに隠れ、室内側から視認し難くなる位置に貼り付けられている。ここで、予め設定される上レール３２ａの上溝部４３ｂへののみ込み量は、たとえば、障子４を操作する際の衝撃や、障子４が下レール３１ａ上を走行する際の振動等により障子４が枠体３から外れない、充分なのみ込み量である。また、ラベル５は、左右の縦框４５の上端部４５ｃにそれぞれ設けておくと、障子４の傾きを容易に調整することが可能である。
【００３３】
本実施形態の建具１を建て込む場合には、まず、既存の建具の室内側に取り付けられた枠体３に、室内側から障子４を、けんどん式、すなわち、障子４を上端側が下端側より室外側に位置するように傾けつつ障子４の上端部を垂壁部３２ｂより室外側に挿入する。このとき、上枠３２の上レール３２ａを上框４３の上溝部４３ｂに挿入しつつ障子４を持ち上げる。
【００３４】
次に、上溝部４３ｂに上レール３２ａが挿入された状態で障子４の下端を下レール３１ａ上に移動させた後、障子４を降下させて戸車４９のローラー４９ａを下レール３１ａ上に載置する。
【００３５】
障子４を下レール３１ａ上に載置した後に、室内側から障子４の上端部４ａに設けられたラベル５を確認する。このとき、ラベル５の下端５ａが垂壁部３２ｂの下端３２ｃより高い位置に位置し、ラベル５が垂壁部３２ｂに隠れてほぼ視認できなければ、上レール３２ａが上溝部４３ｂに予め設定したのみ込み量以上のみ込まれていることが確認できる。
【００３６】
一方、図３に示すように、ラベル５が垂壁部３２ｂの下端３２ｃより下に露出している場合には、上レール３２ａがのみ込まれている量が、予め設定したのみ込み量より少ないので、戸車４９に設けられた調整機構や垂壁部３２ｂの位置を下げるために躯体と上枠３２との間にスペーサを介在させることにより、上レール３２ａが上溝部４３ｂに予め設定したのみ込み量以上のみ込まれるように障子４の位置を調整する。このとき、作業者の身長や見る角度によって、垂壁部３２ｂの室外側のラベル５が視認できる障子４の高さは相違するが、ラベル５の下端と、垂壁部３２ｂの下端の高さがほぼ同じになる位置が目安となる。また、作業者の身長により異なるラベル５の位置の差は僅かなので、予め設定するのみ込み量は、作業者の身長に影響されない十分なのみ込み量が設定されている。
【００３７】
本実施形態の建具１によれば、上枠３２の、垂設された垂壁部３２ｂと対向する障子４が有する縦框４５の上端部４５ｃに、上枠３２の上レール３２ａが障子４の上端部４ａに位置する上框４３の上溝部４３ｂにのみ込まれているのみ込み量を示すラベル５を備えているので、障子４を枠体３に建て込んだ状態であっても、上レール３２ａののみ込み量を確認することが可能である。このため、枠体３に対する適切な位置に障子４を建て込むことが可能である。すなわち、枠体３と障子４との適正なのみ込み量を確保して容易に枠体３に障子４を建て込むことが可能な建具１を提供することが可能である。
【００３８】
このとき、本実施形態のような引き違い窓用の建具１の場合には、障子４が見込み方向に重なる召合せ部を有しているので、室内側の障子４が予め設定したのみ込み量以上のみ込まれていると、例え、室外側の障子４ののみ込み量が少なく、外れやすい場合であっても、室内側の障子４に支持されることにより外れることを防止することが可能である。
【００３９】
またラベル５は、障子４が枠体３に建て込まれたときの垂壁部３２ｂの下端３２ｃに対する当該ラベル５の位置により、のみ込み量を示すので、垂壁部３２ｂの下端３２ｃと、ラベル５とにより、上レール３２ａののみ込み量を容易に確認することが可能である。
【００４０】
また、障子４が枠体３に対して適切な位置に建て込まれている場合には、ラベル５は視認し難いので、ラベル５の見え方により枠体３に対して障子４が適切な位置建て込まれているか否かを容易に判断することが可能である。
【００４１】
また、縦框４５に設けるのみ込み量表示部として、縦框４５に周囲と色が異なるラベル５を貼り付けたので、色が囲と異なるラベル５を貼り付けるだけで容易にのみ込み量表示部を障子４に設けることが可能である。ここで、のみ込み量表示部は、ラベル５に限らず、周囲と色が異なる塗料を塗布する、或いは、周囲と色が異なる部材、例えば合成樹脂製のプレートなどを貼り付けてもよい。また、周囲と色が同じであっても、プレート等を貼り付ける、或いは、框に加工を施すなどして、框から室内側に突出または室外側に窪む部位を設けてもよい。また、のみ込み量表示部として、障子に周囲と材質が異なる部位が設けられていてもよい。このような場合には、障子４に簡単な加工または単純な部材を設けるだけで、容易にのみ込み量表示部を設けることが可能である。
【００４２】
上記実施形態においては、ラベル５を縦框４５の上端部４５ｃに設けた例について説明したが、これに限るものではない。例えば、垂壁部３２ｂの室外側に位置する上框４３に設けてもよい。
【００４３】
また、のみ込み量表示部は、上框４３及び縦框４５の上端部４５ｃに限らず、図４に示すように、縦框４５の上端部４５ｃに嵌合されている摺動部材４５ｄにのみ込み量表示部４５ｅが一体に形成されて縦框４５の室内側に露出するように設けられていてもよい。
【００４４】
また、図５に示すように、上框４３が有する上溝部４３ｂの上縁部に設けられたシール部材４６にのみ込み量表示部４６ａが一体に形成されて縦框４５の室内側に露出するように設けられていてもよい。このような建具１によれば、のみ込み量表示部４５ｅ、４６ａは、障子４が備える摺動部材４５ｄまたはシール部材４６に設けられているので、部材点数及び取り付け工数を増やすことなく容易にのみ込み量表示部４５ｅ、４６ａを備えることが可能である。
【００４５】
また、上記実施形態においては、上枠３２が備える上レール３２ａが上框４３の上溝部４３ｂにのみ込まれている建具１ののみ込み量を、垂壁部３２ｂの下端３２ｃに対するラベル５の位置により確認する例について説明したが、図６に示すように、障子４より室内側に垂壁部が設けられていない場合には、上レール３２ａを垂壁部として上レール３２ａの上溝部４３ｂへののみ込み量を直接確認することとしても良い。この場合には、上レール３２ａに設けられたラベル５の上端部５ｂが障子４の上端部４ａより低い位置に位置し、ラベル５が障子４の上端部４ａに隠れてほぼ視認できなければ、上レール３２ａが上溝部４３ｂに予め設定したのみ込み量以上のみ込まれていることが確認できる。このように上レール３２ａにラベル５などののみ込み量表示部を備える場合には、室外側の障子４の上レール３２ａにもラベル５を設けて、室外側の障子４についてものみ込み量を確認しておくと、室外側の障子４においても、枠体３に対する適切な位置に建て込むことが可能である。
【００４６】
上記実施形態においては、上枠３２が備える上レール３２ａが上框４３の上溝部４３ｂにのみ込まれている建具１を例に挙げて説明したが、これに限るものではない。例えば、図７に示すように、障子４００の上框４３０の上端部４００ａが上枠３２０に設けられて上方に窪む収容凹部４０１に収容されているＦＩＸ窓用の建具１０等であっても構わない。この場合には、収容凹部４０１を形成する室内側に垂設される垂壁部４０１ａにより障子４００の上端部に設けられた例えばラベル４０２の下端４０２ａが垂壁部４０１ａの下端４０１ｂより上に位置するように障子４００が建て込まれる。
【００４７】
また、建具は、引き違い窓用の建具、ＦＩＸ窓用の建具に限らず、上枠部と障子の上端部とのうちのいずれか一方が他方にのみ込まれた状態で障子が建て込まれる建具であれば構わない。また、上記実施形態においては、既存の建具の室内側に設けられて二重窓構造を構成する建具１を例に挙げて説明したが、二重窓構造の室外側に設けられる建具や、単独で設けられる建具であっても構わない。
【００４８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４９】
１  建具、３  枠体、４  障子、４ａ  障子の上端部、 ５  ラベル、
５ａ  ラベルの下端、５ｂ  ラベルの上端、３１  下枠、３２  上枠、３２ａ  上レール、３２ｂ  垂壁部、３２ｃ  垂壁部の下端、４２  框、４３  上框、４５  縦框、
４５ｃ  縦框の上端部、４５ｄ  摺動部材、４５ｅ  のみ込み量表示部、
４６  シール部材、４６ａ  のみ込み量表示部、３２０  上枠、４００  障子、
４００ａ  障子の上端部、４０１ａ  垂壁部、４０１ｂ  垂壁部の下端、
４０２  ラベル、４０２ａ  ラベルの下端、４３０  上框、
【図１】
0006537951.tif 000002
【図２】
0006537951.tif 000003
【図３】
0006537951.tif 000004
【図４】
0006537951.tif 000005
【図５】
0006537951.tif 000006
【図６】
0006537951.tif 000007
【図７】
0006537951.tif 000008